(57)【要約】【課題】ライブビュー動作状態においても応答の早いＡＦ処理が可能であり、構成も簡単な一眼レフレックスカメラを提供する。【解決手段】撮影レンズからの被写体光束を受光するＣＣＤ２２１と、上記被写体光束の範囲外に配置された合焦用測距センサ５５と、上記被写体光束中に位置して被写体光束の一部を透過させ、ＣＣＤ２２１に導き、かつ、上記被写体光束の一部を反射し、測距センサ５５に導く進入位置と、被写体光束をＣＣＤ２２１へと導くため被写体光束から退避する退避位置とにスライド移動する半透過反射ミラーからなるスライドサブミラー６３とを具備しており、ライブビュー撮影モードでの被写体像観察、測距時には、スライドサブミラー６３を上記進入位置に移動させ、撮影時には、上記退避位置に退避させて撮像を行う。【選択図】図５
2009282245.tif 000002
【特許請求の範囲】
【請求項１】
撮影レンズからの被写体光束を受光する撮像素子と、
上記被写体光束の範囲外に配置された合焦用センサと、
半透過性のミラーからなり、上記被写体光束中に位置して被写体光束を透過させ撮像素子に導き、かつ、上記被写体光束を反射し、上記合焦用センサに導く位置と、被写体光束を撮像素子へと導くため被写体光束から退避する退避位置とに移動する可動半透過反射ミラーと、
を具備することを特徴としたカメラ。
【請求項２】
撮像素子と、
被写体光束外に配置された合焦用センサと、
半透過性のミラーからなり、上記被写体光束を撮像素子へと導くために被写体光束から退避する退避位置と、被写体光束中に位置して被写体光束を撮像素子に導くために被写体光束を透過させ、かつ、反射した被写体光束を合焦用センサに導く進入位置とに移動する可動半透過反射ミラーと、
上記可動半透過反射ミラーを退避位置と進入位置とに駆動する可動半透過反射ミラー駆動手段と、
撮像素子により得られた画像を表示可能とする画像表示手段と、
上記可動反射ミラーを進入位置に駆動して撮像素子により得られた画像を画像表示手段に表示する制御手段と、
を具備することを特徴としたカメラ。
【請求項３】
上記可動半透過反射ミラーのミラー領域は、上記被写体光束の主光線を捉える範囲であって、被写体光束の全光束範囲より狭いことを特徴とする請求項１または２に記載のカメラ。
【請求項４】
上記第二の可動反射ミラーは、上記カメラの水平方向に移動することを特徴とする上記請求項１乃至３のいずれかに記載のカメラ。
【請求項５】
撮像素子と、
観察光学系と、
被写体光束中に位置して上記被写体光束を上記観察光学系に反射する第一の位置と、上記被写体光束を上記撮像素子に導くために被写体光束から退避する第二の位置とに移動する第一の可動反射ミラーと、
被写体光束外に配置された合焦用センサと、
半透過性のミラーからなり、上記第一の可動反射ミラーが上記第一の位置にあるとき、上記被写体光束から退避する、若しくは、第一の可動反射ミラーが上記第二の位置にあるとき、上記被写体光束を上記撮像素子へと導くために上記被写体光束から退避する第三の位置に移動し、上記第一の可動反射ミラーが上記第二の位置にあるとき、上記被写体光束中に移動し、上記被写体光束を上記撮像素子に導くために上記被写体光束を透過させ、かつ、反射した被写体光束を上記合焦用センサに導く第四の位置に移動する第二の可動反射ミラーと、
を具備することを特徴とした一眼レフレックスカメラ。
【請求項６】
撮像素子と、
観察光学系と、
被写体光束中に位置して上記被写体光束を上記観察光学系に反射する第一の位置と、上記被写体光束を撮像素子に導くために上記被写体光束から退避する第二の位置とに移動する第一の可動反射ミラーと、
被写体光束外に配置された合焦用センサと、
半透過性のミラーからなり、上記第一の可動反射ミラーが上記第一の位置にあるとき、上記被写体光束から退避する、若しくは、第一の可動反射ミラーが上記第二の位置にあるとき、上記被写体光束を上記撮像素子へと導くために上記被写体光束から退避する第三の位置に移動し、上記第一の可動反射ミラーが上記第二の位置にあるとき、上記被写体光束中に移動し、上記被写体光束を上記撮像素子に導くために上記被写体光束を透過させ、かつ、反射した被写体光束を上記合焦用センサに導く第四の位置に移動する第二の可動反射ミラーと、
上記第一の可動反射ミラーを上記第一の位置と上記第二の位置とに駆動する第一駆動手段と、
上記第二の可動反射ミラーを上記第一の位置と第二の位置とに駆動する第二駆動手段と、
上記撮像素子により得られた画像を表示可能とする画像表示手段と、
上記第一の可動反射ミラーを上記第一駆動手段により上記第二の位置に駆動し、かつ、上記第二の可動反射ミラーを上記第二駆動手段により第四の位置に駆動して上記撮像素子により得られた画像を画像表示手段に表示する制御手段と、
を具備することを特徴とした一眼レフレックスカメラ。
【請求項７】
上記第二の可動反射ミラーのミラー領域は、上記被写体光束の撮影のための全光束範囲より狭く、上記被写体光束のファイダのための光束範囲より大きいことを特徴とする請求項５または６に記載の一眼レフレックスカメラ。
【請求項８】
上記第二の可動反射ミラーは、上記カメラの水平方向に移動することを特徴とする上記請求項５乃至７のいずれかに記載の一眼レフレックスカメラ。
【請求項９】
上記第一の可動反射ミラーの移動に連動し、上記第一の可動反射ミラーが上記第一の位置にあるとき、上記第一の可動反射ミラーを透過した光束を上記合焦用センサに反射し、上記第一の可動反射ミラーが上記第二の位置にあるとき、上記被写体光束中から退避した位置に退避するサブミラーをさらに有したことを特徴とする請求項５または６に記載の一眼レフレックスカメラ。
【発明の詳細な説明】
【技術分野】
【０００１】
本発明は、ライブビューが可能なカメラおよび一眼レフレックスカメラに関する。
【背景技術】
【０００２】
従来の光学ファインダを備えた一眼レフレックスカメラにて、ライブビュー機能を有するものにおいては、ライブビュー時は、一旦メインミラーをダウンさせて合焦したり、または、コントラストＡＦ方式による合焦処理が行われていた。
【０００３】
ところが、上記コントラストＡＦ方式による合焦処理は、ＴＴＬ位相差方式の場合に比較して処理が遅く、シャッタのタイミングの遅れが問題になり、特に連写撮影には適さない。また、メインミラーをダウンさせ、位相差方式の合焦動作（すなわち、位相差ＡＦ）を行うと、ＡＦ動作中は、画像が観察できないなどの問題があった。
【０００４】
そこで、特許文献１に開示された一眼レフレックスデジタルカメラは、撮影光路内への進入及び撮彩光路外への退避が自在である第一反射ミラーと、撮影光路内への進入及び撮影光路外への退避が自在であるサブミラーとを具備しており、スルー画表示動作中にレリーズボタンの操作が為された場合には、上記サブミラーを撮影光路内に進入させ、測距回路内に設けられた測距センサの出力に基づいて測距動作が行われる。このカメラによれば、スルー画表示中であっても、応答速度の早い位相差ＡＦを行うことができる。
【特許文献１】特開２００７−２７９１３８号公報
【発明の開示】
【発明が解決しようとする課題】
【０００５】
しかし、上記特許文献１に開示された一眼レフレックスデジタルカメラでもやはりＡＦ動作中の画像に上記サブミラーが写り込み、その瞬間の画像を観察できないといった問題があった。
【０００６】
本発明は、上述の問題を解決するためになされたものであり、ライブビュー動作状態においても位相差方式のＡＦ処理が可能であり、観察画像にも大きな影響を与えず、被写体を観察できるカメラ、または、一眼レフレックスカメラを提供することを目的とする。
【課題を解決するための手段】
【０００７】
本発明の請求項１に記載のカメラは、撮影レンズからの被写体光束を受光する撮像素子と、上記被写体光束の範囲外に配置された合焦用センサと、半透過性のミラーからなり、上記被写体光束中に位置して被写体光束を透過させ撮像素子に導き、かつ、上記被写体光束を反射し、上記合焦用センサに導く位置と、被写体光束を撮像素子へと導くため被写体光束から退避する退避位置とに移動する可動半透過反射ミラーとを具備する。
【０００８】
本発明の請求項２に記載のカメラは、撮像素子と、被写体光束外に配置された合焦用センサと、半透過性のミラーからなり、上記被写体光束を撮像素子へと導くために被写体光束から退避する退避位置と、被写体光束中に位置して被写体光束を撮像素子に導くために被写体光束を透過させ、かつ、反射した被写体光束を合焦用センサに導く進入位置とに移動する可動半透過反射ミラーと、上記可動半透過反射ミラーを退避位置と進入位置とに駆動する可動半透過反射ミラー駆動手段と、撮像素子により得られた画像を表示可能とする画像表示手段と、上記可動反射ミラーを進入位置に駆動して撮像素子により得られた画像を画像表示手段に表示する制御手段とを具備する。
【０００９】
本発明の請求項３に記載のカメラは、請求項１または２に記載のカメラにおいて、上記可動半透過反射ミラーのミラー領域は、上記被写体光束の主光線を捉える範囲であって、被写体光束の全光束範囲より狭い。
【００１０】
本発明の請求項４に記載のカメラは、請求項１乃至３のいずれかに記載のカメラにおいて、上記第二の可動反射ミラーは、上記カメラの水平方向に移動する。
【００１１】
本発明の請求項５に記載の一眼レフレックスカメラは、撮像素子と、観察光学系と、被写体光束中に位置して上記被写体光束を上記観察光学系に反射する第一の位置と、上記被写体光束を上記撮像素子に導くために被写体光束から退避する第二の位置とに移動する第一の可動反射ミラーと、被写体光束外に配置された合焦用センサと、半透過性のミラーからなり、上記第一の可動反射ミラーが上記第一の位置にあるとき、上記被写体光束から退避するか、若しくは、第一の可動反射ミラーが上記第二の位置にあるとき、上記被写体光束を上記撮像素子へと導くために上記被写体光束から退避する第三の位置に移動し、上記第一の可動反射ミラーが上記第二の位置にあるときに、上記被写体光束中に移動し、上記被写体光束を上記撮像素子に導くために上記被写体光束を透過させ、かつ、上記被写体光束を反射して上記合焦用センサに導く第四の位置に移動する第二の可動反射ミラーとを具備する。
【００１２】
本発明の請求項６に記載の一眼レフレックスカメラは、撮像素子と、観察光学系と、被写体光束中に位置して上記被写体光束を上記観察光学系に反射する第一の位置と、上記被写体光束を撮像素子に導くために上記被写体光束から退避する第二の位置とに移動する第一の可動反射ミラーと、被写体光束外に配置された合焦用センサと、半透過性のミラーからなり、上記第一の可動反射ミラーが上記第一の位置にあるとき、上記被写体光束から退避する、若しくは、第一の可動反射ミラーが上記第二の位置にあるとき、上記被写体光束を上記撮像素子へと導くために上記被写体光束から退避する第三の位置に移動し、上記第一の可動反射ミラーが上記第二の位置にあるとき、上記被写体光束中に移動し、上記被写体光束を上記撮像素子に導くために上記被写体光束を透過させ、かつ、反射した被写体光束を上記合焦用センサに導く第四の位置に移動する第二の可動反射ミラーと、上記第一の可動反射ミラーを上記第一の位置と上記第二の位置とに駆動する第一駆動手段と、上記第二の可動反射ミラーを上記第三の位置と第四の位置とに駆動する第二駆動手段と、上記撮像素子により得られた画像を表示可能とする画像表示手段と、上記第一の可動反射ミラーを上記第一駆動手段により上記第二の位置に駆動し、かつ、上記第二の可動反射ミラーを上記第二駆動手段により第四の位置に駆動して上記撮像素子により得られた画像を画像表示手段に表示する制御手段とを具備する。
【００１３】
本発明の請求項７に記載の一眼レフレックスカメラは、請求項５または６に記載の一眼レフレックスカメラにおいて、上記第二の可動反射ミラーのミラー領域は、上記被写体光束の撮影のための全光束範囲より狭く、上記被写体光束のファイダのための光束範囲より大きい。
【００１４】
本発明の請求項８に記載の一眼レフレックスカメラは、請求項５乃至７のいずれかに記載の一眼レフレックスカメラにおいて、上記第二の可動反射ミラーは、上記カメラの水平方向に移動する。
【００１５】
本発明の請求項９に記載の一眼レフレックスカメラは、請求項５乃至６に記載の一眼レフレックスカメラにおいて、上記第一の可動反射ミラーの移動に連動し、上記第一の可動反射ミラーが上記第一の位置にあるとき、上記第一の可動反射ミラーを透過した光束を上記合焦用センサに反射し、上記第一の可動反射ミラーが上記第二の位置にあるとき、上記被写体光束中から退避した位置に退避するサブミラーをさらに有する。
【発明の効果】
【００１６】
本発明によれば、ライブビュー動作状態においても位相差方式のＡＦ処理が可能であり、観察画像にも大きな影響を与えず、被写体を観察できるカメラ、または、一眼レフレックスカメラを提供することができる。
【発明を実施するための最良の形態】
【００１７】
以下、図を用いて本発明の実施形態について説明する。
【００１８】
図１は、本発明の一実施形態に係る一眼レフレックスデジタルカメラ（以下、一眼レフカメラと記載する）の主要構成部材を示すブロック構成図である。
【００１９】
本実施形態の一眼レフカメラは、光学ファインダとライブビューのいずれかによる被写体像の観察が可能なカメラであり、カメラ本体２０と、カメラ本体２０の前面のボディマウント１１（図２）の開口部に着脱可能に装着されるレンズ鏡筒１０とからなる。
【００２０】
レンズ鏡筒１０には、被写体光束をカメラ本体２０内に導くための撮影レンズ１０１ａ、１０１ｂと、焦点調節および焦点距離調節用のレンズ１０１ａ、１０１ｂと、開口量を調節するための絞り１０３が内蔵されている。レンズ鏡筒１０をカメラ本体２０に装着した状態にて撮影レンズ１０１ａ，１０１ｂは、光学系駆動機構１０７によって進退駆動され、絞り１０３は、紋り駆動機構１０９によって駆動される。光学系駆動機構１０７、絞り駆動機構１０９は、それぞれレンズＣＰＵ１１１に接続されており、レンズＣＰＵ１１１は、光学系駆動機構１０７を制御してピント合わせや、ズーム駆動を行うとともに、絞り駆動機構１０９を制御して絞り値制御を行う。なお、レンズＣＰＵ１１１は、通信接点３００を介してカメラ本体２０に接続される。
【００２１】
カメラ本体２０は、第一の可動反射ミラーであるメインミラー１３を備えたメインミラー装置２およびメインミラー駆動機構２１５と、第二の可動反射（可動半透過反射ミラー）であるスライドサブミラー６３を備えたスライドサブミラー装置６、および、可動半透過反射ミラー駆動手段であるスライドサブミラー駆動機構２１６と、露光手段であるシャッタユニット１５と、撮像ユニット３と、観察光学系であるファインダユニット４と、測距ユニット５と、ストロボユニット７と、ＬＣＤからなる液晶モニタ２６とを備え、さらに、撮像ユニット３、ミラー装置２、測距ユニット５、シャッタユニット１５、レンズ鏡筒１０等の動作を制御するために後述する各電気制御要素が配されている。なお、レンズ鏡筒１０とカメラ本体２０とは装着状態で通信接点３００を介して電気的に接続され、カメラ本体２０に設けた着脱検知スイッチ２５９によってその着脱状態が検出される。
【００２２】
カメラ本体２０における被写体像の観察、および、測距動作の概略を説明すると、光学ファインダによる被写体像観察時（光学ファインダ観察モード）には、撮影レンズ１０１ａ，１０１ｂを透過してカメラ本体２０側に入射した被写体光束は、光路進入状態にあるミラー装置２のメインミラー１３によってファインダユニット４側に反射され、ファインダユニット４の接眼レンズ部により被写体像が観察される。また、ミラー装置２のメインミラー１３に併設されるサブミラー１４によりメインミラー１３の一部を透過した上記被写体光束の一部が測距ユニット５の受光レンズ側に反射され、ＡＦ合焦のための位相差方式の測距が行われる。一方、ライブビューによる被写体像観察時（ライブビュー撮影モード）には、ミラー装置２を被写体光束の光路から退避させた状態に切り替え、代わってスライドサブミラー装置６を上記被写体光束の光路内に進入させる。該進入状態ではスライドサブミラー装置６のスライドサブミラー６３を透過した被写体光束が撮像ユニット３のＣＣＤの受光面に入射し、結像する。上記ＣＣＤにて被写体像の光電気アナログ信号に変換され、観察用被写体像が液晶モニタ２６上に表示される。さらに、被写体光束の一部は、スライドサブミラー６３によって測距ユニット５の受光レンズ側に反射され、ＡＦ合焦のための位相差方式の測距が行われる。
【００２３】
上述したカメラ本体２０に内蔵されるミラー装置２、撮像ユニット３、ファインダユニット４、測距ユニット５、スライドサブミラー装置６およびスライドサブミラー駆動機構２１６、ストロボユニット７、液晶モニタ２６の構成、配置の詳細については、後で図２〜５に用いて説明するものとし、上記電気制御要素の構成から説明する。
【００２４】
上記電気制御要素のうち、撮像ユニット３を構成する撮像素子のＣＣＤ２１は、撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。なお、上記光電アナログ信号は、撮影レンズ１０１ａ，１０１ｂを透過してカメラ本体２０側に入射した被写体光束が撮像ユニット３のＣＣＤ２１に受光面（光電変換面）上に結像し、ＣＣＤ２１より出力される撮像信号である。
【００２５】
撮像素子駆動回路２２３は、ＡＳＩＣ（Application Specific Integrated Circuit、特定用途向け集積回路）２６２内の画像処理回路２２７に接続され、この画像処理回路２２７によってデジタル画像データのデジタル的増幅（デジタルゲイン調整処理）、色補正、ガンマ補正、コントラスト補正、白黒・カラーモード処理、スルー画像処理といった各種の画像処理がなされる。画像処理回路２２７は、データバス２６１に接続されている。
【００２６】
データバス２６１には、画像処理回路２２７の他、後述するシーケンスコントローラ（以下、ボディＣＰＵと記載する）２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２７】
データバス２６１に接続されているボディＣＰＵ２２９は、例えば、ＣＣＤ２１の露光をはじめ、本カメラのすべての制御を司る制御手段である。
【００２８】
データバス２６１に接続されている圧縮伸張回路２３１は、ＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して液晶モニタ２６に接続される。
【００２９】
ビデオ信号出力回路２３３は、ＳＤＲＡＭ２３８、または記録媒体２４５に記憶された画像データを、カメラ本体２０の背面に配置される液晶モニタ２６に表示するためのビデオ信号に変換するための回路である。
【００３０】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。
【００３１】
入出力回路２３９は、防塵フィルタ駆動回路２１１、シャッタ駆動機構２１３、メインミラー駆動機構２１５のアクチュエータとしての駆動モータ、スライドサブミラー駆動機構２１６のアクチュエータとしての駆動モータ８１、測距処理回路２１９、撮像素子駆動回路２２３に接続され、データバス２６１を介してボディＣＰＵ２２９等の各回路とデータの入出力を制御する。
【００３２】
通信回路２４１は、レンズＣＰＵ１１１と通信接点３００を介して接続され、データバス２６１に接続され、ボディＣＰＵ２２９等とのデータのやりとりや制御命令の通信を行う。
【００３３】
記録媒体制御回路２４３は、データバス２６１に接続され、記録媒体制御回路２４３は、記録媒体２４５に接続され、記録媒体２４５への画像データ等の記録の制御を行う。なお、記録媒体２４５は、ＸＤピクチャーカード（登録商標）、コンパクトフラッシュ（登録商標）、ＳＤメモリカード（登録商標）またはメモリスティック（登録商標）等の書換え可能な記録媒体のいずれかが装填可能となるように構成され、カメラ本体２０に対して着脱自在となっている。
【００３４】
フラッシュメモリ制御回路２４７は、データバス２６１を介してフラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００３５】
カメラ本体２０やレンズ鏡筒１０のパワー供給の制御を行うためのパワースイッチレバーに連動してオン・オフするパワースイッチ２５７と、シャッタレリーズ釦に連動するスイッチ、再生モードを指示する再生釦に連動するスイッチ、液晶モニタ２６の画面でカーソルの動きを指示する十字釦に連動するスイッチ、撮影モードを指示するモードダイヤルに連動するスイッチ、選択された各モード等を決定するＯＫ釦に連動するＯＫスイッチ、着脱検知スイッチ２５９等の各種スイッチ２５５は、スイッチ検出回路２５３を介してデータバス２６１に接続されている。
【００３６】
なお、上記レリーズ釦に連動するスイッチは、撮影者が上記レリーズ釦を半押しするとオンする第１レリーズスイッチと、上記レリーズ釦を全押しするとオンする第２レリーズスイッチとからなり、この第１レリーズスイッチ（以下、１Ｒと記載する）のオンによりカメラは焦点検出、撮影レンズのピントあわせ、被写体輝度の測光等の撮影準備動作を行い、第２レリーズスイッチ（以下、２Ｒと記載する）のオンにより撮像素子としてのＣＣＤ２２１の出力に基づいて被写体像の画像データの取り込みを行う撮影動作が実行される。
【００３７】
ここで、本実施形態の一眼レフカメラのカメラ本体２０に内蔵されるミラー装置２、スライドサブミラー装置６、ファインダユニット４、撮像ユニット３、測距ユニット５、表示ユニットである液晶モニタ２６およびストロボユニット７等の構成、および、配置について、図２〜１０を用いて説明する。
【００３８】
図２，３は、本実施形態の一眼レフレックスカメラのカメラ本体の構成を示す横断面図であり、図２は、ミラー装置２が被写体光束の光路内に進入した状態（光学ファインダ観察状態）での断面を示し、図３は、ミラー装置が上記光路から退避し、スライドサブミラー装置６が上記光路内に進入した状態（ライブビュー状態で、かつ、１ｓｔレリーズオン状態）での断面を示す。図４は、図２の状態に対応したカメラ本体内のミラーボックスまわりの縦断面図である。図５は、図３の状態に対応したカメラ本体内のミラーボックスまわりの縦断面図である。図６は、図２の状態に対応した状態でのミラーボックスまわりを左前方側からみた斜視図である。図７は、図３の状態に対応した状態でのミラーボックスまわりを左前方側からみた斜視図である。図８は、図２の状態に対応した状態でのミラーボックスまわりを左上方側からみた斜視図である。図９は、図３の状態に対応した状態でのミラーボックスまわりを左上方側からみた斜視図である。図１０は、図３の状態に対応した状態でのミラーボックスまわりを前方側からみた斜視図である。
【００３９】
なお、以下の説明において、光路とは、レンズ鏡筒１０がカメラ本体２０のボディマウント１１に装着されたとき、レンズ鏡筒１０の撮影レンズを介して入射される被写体光束の光路を指し、該光路の光軸を図中、Ｏで示す。光軸Ｏに近い光束の光線範囲であって、ＣＣＤ２２１の受光面２２１ａの有効エリア範囲に達する主光線範囲Ｌａの光線を主光線とし、光軸Ｏの周辺光線の光束を含む全光束範囲Ｌｂの光線を全撮影の光線（撮影のための全被写体光束）とする（図４，５）。当然ながら主光線範囲Ｌａは、全撮影光束範囲Ｌｂより狭い。
【００４０】
また、図２に示すように、光軸Ｏと平行な方向に対してカメラ本体２０の被写体側を前側（前面側）とし、結像側を後側（背面側）とする。また、光軸Ｏ方向に直交する方向であって、カメラ本体２０の左右方向（カメラの水平方向）にてカメラ本体２０のグリップ部２３側（図２）を左側とする。
【００４１】
カメラ本体２０は、外装体としての前枠２１と後枠２２を有しており、前枠２１の左端部にカメラグリップ部２３が設けられている。前枠２１の中央部にミラーボックス１２が固着されており、該ミラーボックス前面部にボディマウント１１が固着されている。このボディマウント１１にてレンズ鏡筒１０をカメラ本体２０に着脱することができる（図２）。
【００４２】
カメラ本体２０のミラーボックス１２の内部１２ａにミラー装置２が配設され、ミラーボックス１２の左側にはスライドサブミラー駆動機構２１６が配され、該機構によりスライド駆動されるスライドサブミラー装置６が配されている。また、ミラーボックス１２の側面部にはメインミラー駆動機構２１５も配されている（図示せず）。さらに、ミラーボックス１２の上方にファインダユニット４が配され、後方部にシャッタユニット１５および撮像ユニット３が配されている。そして、撮像ユニット３の背面部に画像表示手段である液晶モニタ２６が配される。カメラ本体２０のカメラグリップ部２３の内方にはカメラ電源となる電池７９が収納されている。
【００４３】
ミラー装置２は、被写体光束の光路上に進入および退避可能に配された第一の可動反射ミラーであるメインミラー１３と測距光束反射用のサブミラー１４とを具備している。
【００４４】
詳しくは、メインミラー１３は、反射ミラー面を有しており、ミラーボックス１２の内部１２ａにてメインミラー回動軸（図示せず）周りに回動可能に配設された枠状のメインミラー保持枠４１によって支持されている。このメインミラー保持枠４１の背面側には、サブミラー１４を保持するサブミラー保持枠４３がサブミラー回動軸（図示せず）周りに回動可能に支持されている。上記メインミラー回動軸とサブミラー回動軸とは互いに平行であり、それぞれ撮影レンズ１０１ａ，１０１ｂの光軸Ｏと直交する面に沿った軸である。
【００４５】
メインミラー１３は、反射ミラー面の少なくとも一部に半透過部が形成され、かつ、メインミラー保持枠４１には貫通孔である開口部４２が形成されており、メインミラー１３の上記半透過部を透過する光束は、メインミラー保持枠４１の背面に位置するサブミラー１４側に透過するようになっている。
【００４６】
メインミラー１３は、駆動モータやカム、バネ機構からなるメインミラー駆動機構２１５（図１）の駆動力によって、図２に示すような被写体光束の光路上に進入したファインダ観察可能な状態である第一の位置のミラーダウン位置と、図３に示すような被写体光束の光路上から退避した撮影可能な状態である第二の位置のミラーアップ位置との二つの位置のいずれかに回動される。
【００４７】
なお、メインミラー１３が上記ミラーダウン位置とミラーアップ位置に移動した状態では、図示しない駆動レバーおよび付勢バネの付勢力でメインミラー保持枠４１が押圧され、それぞれのミラーボックス１２の下方ストッパ３３、または、上方ストッパ（図示せず）に当接して停止する。
【００４８】
また、サブミラー１４は、反射ミラー面を有し、図示しないカム、バネ機構等によりメインミラー１３の移動に連動して上記サブミラー回動軸周りに回動する。メインミラー１３がミラーアップ位置に移動した状態では図５に示すようにサブミラー１４は、メインミラー１３側に折りたたまれ、メインミラー１３とともに被写体光束の光路上から退避した位置に位置決めされる。メインミラー１３がミラーダウン位置にあるときは、サブミラー１４は、ミラーボックス１２のストッパ３４に当接し、光軸Ｏに対して斜設状態で支持される。
【００４９】
メインミラー１３がミラーダウン位置である状態では、撮影レンズ１０１ａ，１０１ｂから取り込まれた光軸Ｏに沿った被写体光束の全撮影光束範囲Ｌｂの光線のうちの主光線範囲Ｌａの光線（主光線）をファインダ光軸Ｏｆに沿ってフォーカシングスクリーン１７に向けて反射する。さらに、主光線範囲Ｌａの主光線の一部は、メインミラー１３を透過し、メインミラー背面部に斜設状態で位置するサブミラー１４によって測距光軸Ｏｓに沿って反射され、測距ユニット５のコンデンサレンズ５１に入射する（図４）。
【００５０】
メインミラー１３がミラーアップ位置であり、かつ、後述するスライドサブミラー装置６のスライドサブミラーが退避している状態では、主光線範囲Ｌａの光線（主光線）および周辺光線を含む全撮影光束範囲Ｌｂの光線（全撮影被写体光束）がＣＤＤ２２１の受光面２２１ａに入射し、結像する（図４）。
【００５１】
スライドサブミラー駆動機構２１６は、出力ピニオン７２を有する駆動モータ７１と、ピニオン７２に噛合する減速ギヤ７３と、減速ギヤ７３に噛合し、回転板カムからなるカム７５を一体的に備えたカムギヤ７４と、支持軸７６に回動可能に支持された駆動レバー７７と、駆動レバー７７を回動付勢するための付勢バネ７８とからなる。このスライドサブミラー駆動機構２１６は、ミラーボックス１２の左側に配されており、スライドサブミラー装置６をスライド駆動する（図２，３）。また、カムギヤ７４には図示せぬ公知のエンコーダが備えられており、スライドサブミラー１４のミラーボックス内の合焦位置、すなわち、進入位置と、ミラーボックス外の退避位置とがモニタされる。
【００５２】
スライドサブミラー装置６は、従動ピン６４ａおよび左方に延びる腕部６４を備えた支持枠６１と、支持枠６１に支持されるミラー保持枠６２と、ミラー保持枠６２に保持される第二の可動反射ミラー（可動半透過反射ミラー）であって、極薄半透過反射ミラー（例えば、ペリクルミラー）で形成されるスライドサブミラー６３とからなる。なお、スライドサブミラー６３は、上記極薄半透過反射ミラーに替えて半透過反射ガラス板を適用することも可能であるが、この場合、ＣＣＤ２２１で取り込まれ、変換されたライブビュー画像信号に対しては、上記ガラス板の厚みによるＣＣＤ２２１の結像位置のズレの補正が必要である。
【００５３】
支持枠６１は、ミラーボックス１２の側面に配される上方ガイド溝１２ｃと、下方ガイド突起１２ｄとによって左右方向にスライド移動可能に支持される（図５）。支持枠６１側の従動ピン６４ａは、駆動レバー７７の溝７７ａに摺動可能に嵌入しており、駆動モータ７１によるカム７５の回転にともなって従動ピン６４ａを介して支持枠６１がミラーボックス１２に対して後述する退避、進入位置間をスライド移動する。
【００５４】
なお、支持枠６１の上記スライド移動は、ミラー装置２の移動状態に関連して実行され、ミラー装置２のメインミラー１３がアップ位置にあるときにのみ、ミラーボックス１２の内部に進入、あるいは、外部に退出するように制御される。
【００５５】
支持枠６１がカム７５の回転によってミラーボックス１２の内部にスライド移動した状態では、スライドサブミラー６３は、被写体光束の光路上に進入し、第四の位置である進入位置に斜設状態で位置する（図３，５，７，９，１０）。さらなるカム７５の回転によってスライドサブミラー６３は、被写体光束の光路上から退避したミラーボックス１２の外側の第三の位置である退避位置に移動する（図２，６，８）。なお、上記退避位置、進入位置へスライド移動に際してスライドサブミラー６３は光軸Ｏ方向に対して一定の傾斜角度を保持したまま移動する。
【００５６】
スライドサブミラー６３が上記進入位置にある状態では、撮影レンズ１０１ａ，１０１ｂから取り込まれた光軸Ｏに沿った被写体光束の全撮影光束範囲Ｌｂの光線のうちの主光線範囲Ｌａの光線（主光線）のみがスライドサブミラー６３を透過し、ＣＤＤ２２１の受光面２２１ａに入射し、結像する（図５）。このときのＣＣＤ２２１の撮像信号による画像信号は、液晶モニタ２６のライブビュー表示用画像信号として利用される。また、上記主光線範囲Ｌａの主光線の上記透過分の他は、スライドサブミラー６３によって測距光軸Ｏｓに沿って反射され、測距ユニット５のコンデンサレンズ５１に入射し、測距センサ５５より位相差測距信号が得られる（図５）。
【００５７】
ファインダユニット４は、撮影レンズ１０１ａ，１０１ｂに対する撮像素子２２１の受光面２２１ａと光学的に等価な位置に配設されるフォーカシングスクリーン１７と、ペンタプリズム１８と、接眼光学系１９とを備えている（図４，５）。ミラーダウン位置にあるメインミラー１３で反射された被写体光束は、フォーカシングスクリーン１７上に被写体像として結像し、ペンタプリズム１８によって上記結像された被写体像を正立正像に変換され、接眼光学系１９によってペンタプリズム１８からの光学像が拡大され、観察者の眼に導かれる。
【００５８】
上記測距ユニット５は、コンデンサレンズ５１と、第１ミラー５２と、第２ミラー５３と、セパレータレンズ５４と、合焦用測距センサである測距センサ５５とを備えた、所謂、ＴＴＬ位相差ＡＦのための測距を行うユニットである。
【００５９】
メインミラー１３がミラーダウン位置にあるとき、サブミラー１４で反射された測距光軸Ｏｓ上の被写体光束の光路上に測距ユニット５のコンデンサレンズ５１が配設されている。また、進入位置にあるスライドサブミラー装置６のスライドサブミラー６３によって反射される被写体光束の光軸も上記測距光軸Ｏｓと一致しており、該被写体光束は、同様に測距ユニット５のコンデンサレンズ５１に入射する。
【００６０】
ミラーダウン位置にあるメインミラー１３、または、進入位置にあるスライドサブミラー６３の後方には、シャッタ駆動機構２１３（図１）によって駆動される露光手段であって、被写体光束の通過時間を制御するためのシャッタユニット１５と、該シャッタユニットの後方側に撮像ユニット３が配設されている。
【００６１】
撮像ユニット３は、防塵フィルタ２０５と、撮像受光面保護用ガラス２１０と、ローパスフィルタ２０９と、その後方に配されるＣＣＤ２２１とからなる。防塵フィルタ２０５は、防塵フィルタ駆動回路２１１により駆動される。
【００６２】
撮像ユニット３のさらに後方側となるカメラ本体２０の背面側には、カラー液晶表示素子等を含んで構成される液晶モニタ２６が配設されている。
【００６３】
また、ペンタプリズム１８の上方には、被写体に照明光を照射するためのストロボユニット７が使用時にポップアップし、非使用時にカメラ本体２０内に収納可能な状態で配されている。
【００６４】
上述した構成を有する本実施形態の一眼レフカメラにおいては、撮影に先立って行われる撮影被写体像の観察をファインダユニット４による光学ファインダ観察モード、または、液晶モニタ２６によるライブビュー観察モードよる切り換えが可能である。以下、その切り換え動作について説明する。なお、これらの動作は、全てボディＣＰＵ２２９の制御に基づいて実行される。
【００６５】
カメラによる撮影に際して各種スイッチ２５５のうち、撮影モード選択スイッチによりいずれかのモードが選択されているとして、まず、光学ファインダ観察撮影モードが選択された場合、スライドサブミラー装置６のスライドサブミラー６３がミラーボックス１２の外方の退避位置にある状態でメインミラー駆動機構２１５によりミラー装置２のメインミラー１３がサブミラー１４とともにミラーダウン位置に保持され、もしくは、回動駆動される。この状態では、上述したように全被写体光束の一部、すなわち、主光線範囲Ｌａの光線（主光線）がファインダユニット４側に反射され、接眼光学系１９により被写体像の観察が可能になる。そこで、１ｓｔレリーズスイッチの操作がなされると、サブミラー１４で反射され、測距ユニット５に入射した被写体光束の一部によって位相差ＡＦの測距が行われ、撮影レンズ１０１ａ，１０１ｂの合焦動作が実行される。続いて、２ｎｄレリーズスイッチの操作によってミラー装置２が駆動され、メインミラー１３がサブミラー１４とともにミラーアップ位置に回動移動する。そこで、ＣＣＤ２２１の露光が実行され、被写体像の撮像信号が取り込まれ、該被写体像の画像データが記録媒体２４５に書き込まれる。
【００６６】
一方、上記撮影モード選択スイッチによりライブビュー撮影モードが選択された場合、メインミラー駆動機構２１５によりメインミラー１３がミラーアップ位置に回動駆動される。そこで、スライドサブミラー駆動機構２１６によりスライドサブミラー装置６が駆動され、スライドサブミラー６３をミラーボックス１２の内部１２ａにスライド移動させ、進入位置に位置させる。スライドサブミラー６３が該進入位置にある状態では、前述したように全被写体光束の一部、すなわち、主光線範囲Ｌａの光線（主光線）がスライドサブミラー６３を透過し、ＣＣＤ２２１の受光面２２１ａ上に結像する。ＣＣＤ２２１の撮像信号は、ボディＣＰＵ２２９の制御のもとで表示用画像信号に変換され、ライブビュー表示用画像信号として液晶モニタ２６に出力され、ライブビュー観察が可能な状態となる。そこで、１ｓｔレリーズスイッチの操作がなされると、スライドサブミラー装置６は、そのままの状態で被写体光束の一部がスライドサブミラー６３で反射されているので、被写体光束の一部が測距ユニット５に入射し、位相差ＡＦの測距が行われ、撮影レンズ１０１ａ，１０１ｂの合焦動作が実行される。続いて、２ｎｄレリーズスイッチの操作によってスライドサブミラー装置６が駆動され、スライドサブミラー６３をミラーボックス１２の外部の退避位置にスライド移動させる。そこで、ＣＣＤ２２１の露光が実行され、被写体像の撮像信号が取り込まれ、該被写体像の画像データが記録媒体２４５に書き込まれる。
【００６７】
なお、測距ユニット５には、ミラー装置２のサブミラー１４からの反射光、または、スライドサブミラー装置６のスライドサブミラー６３からの反射光のいずれかが入射する。従って、双方のミラーの反射条件の違いにより、測距データを演算する場合、それぞれに合った測距調整値を適用する必要がある。
【００６８】
上述したライブビュー撮影時のボディＣＰＵ２２９による処理動作について、図１１のフローチャートを用いて説明する。まず、ステップＳ１でメインミラー１３をミラーアップ位置に退避させる。続いて、ステップＳ２にてスライドサブミラー装置６を駆動してスライドサブミラー６３を光路内の進入位置に移動させる。
【００６９】
ステップＳ３にてスライドサブミラー６３を透過した被写体光束による被写体像のＣＣＤ２２１による撮像信号が取り込まれ、その撮像信号による被写体画像をライブビュー画像として液晶モニタ２６に表示させる。
【００７０】
ステップＳ４にて１ｓｔレリーズスイッチのオン信号をチェックし、オン信号が検出された場合、ステップＳ５に進み、スライドサブミラー６３で反射された被写体光束の一部によって測距ユニット５の測距センサ５５で位相差ＡＦによる測距信号が検出され、ボディＣＰＵ２２９の制御のもとで撮影レンズの合焦動作が実行される。
【００７１】
なお、１ｓｔレリーズスイッチのオン信号が検出されなかった場合は、後述するステップＳ９にジャンプする。
【００７２】
ステップＳ６では、２ｎｄレリーズスイッチのオン信号をチェックし、オン信号が検出された場合、ステップＳ７に進み、スライドサブミラー装置６をスライド駆動して、スライドサブミラー６３を光路外の退避位置に移動させ、ステップＳ８に進む。なお、２ｎｄレリーズスイッチのオン信号が検出されなかった場合は、ステップＳ４に戻る。
【００７３】
ステップＳ８にてＣＣＤ２２１より出力される被写体像の撮像信号が撮影画像信号に変換され、記録媒体２４５に書き込まれる。
【００７４】
続いて、ステップＳ９にて上記撮影モード選択スイッチによりライブビュー撮影モードの終了が指示されたかをチェックし、指示がない場合は、そのまま、ステップＳ２に戻る。上記指示があった場合、ステップＳ１０に進み、液晶モニタ２６のライブビュー表示を終了し、ステップＳ１１にてスライドサブミラー装置６をスライド駆動して、スライドサブミラー６３を光路外の退避位置に移動させる。
【００７５】
さらに、ステップＳ１２にてミラー装置２を回動駆動してメインミラー１３をミラーダウン位置に移動させ、ファインダユニット４による被写体像観察が可能な状態として本ライブビュー撮影処理動作を終了する。
【００７６】
上述したライブビュー撮影モードにおいては、２ｎｄレリーズスイッチがオンされないと、スライドサブミラー６３は、ミラーボックス外に退避せず、不必要な動作音やショックの発生の少ない状態で合焦を行うことができる。
【００７７】
また、上述したライブビュー撮影処理に対して動作順を変えた別のライブビュー撮影処理を変形例として提案できる。
【００７８】
すなわち、上記撮影モード選択スイッチによりライブビュー撮影モードが選択された場合、メインミラー駆動機構２１５によりメインミラー１３がミラーアップ位置に回動駆動され、被写体光束がＣＣＤ２２１の受光面上に結像する。ＣＣＤ２２１の撮像信号は、ボディＣＰＵ２２９の制御のもとで表示用画像信号に変換され、ライブビュー表示用画像信号として液晶モニタ２６に出力され、ライブビュー観察が可能な状態になる。
【００７９】
そこで、１ｓｔレリーズスイッチの操作がなされると、スライドサブミラー駆動機構２１６によりスライドサブミラー装置６が駆動され、スライドサブミラー６３をミラーボックス１２の内部１２ａにスライド移動させ、進入位置に位置させる。スライドサブミラー６３が該進入位置にある状態では、前述したように全被写体光束の一部、すなわち、主光線範囲Ｌａの光線（主光線）がスライドサブミラー６３を透過し、ＣＣＤ２２１の受光面２２１ａ上に結像する。ＣＣＤ２２１の撮像信号は、ボディＣＰＵ２２９の制御のもとで表示用画像信号に変換され、ライブビュー表示用画像信号として液晶モニタ２６に出力され、ライブビュー観察が可能な状態が継続されることなる。同時にスライドサブミラー装置６は、その状態で被写体光束の一部をスライドサブミラー６３で反射して、測距ユニット５に入射させて、位相差ＡＦの測距が行われ、撮影レンズ１０１ａ，１０１ｂの合焦動作が実行される。続いて、スライドサブミラー装置６が駆動され、スライドサブミラー６３をミラーボックス１２の外部の退避位置にスライド移動させる。その後、２ｎｄレリーズスイッチの操作によってＣＣＤ２２１の露光が実行され、被写体像の撮像信号が取り込まれ、該被写体像の画像データが記録媒体２４５に書き込まれる。
【００８０】
上述した変形例のライブビュー撮影処理を図１２のフローチャートを用いて説明すると、本処理もボディＣＰＵ２２９の制御の基で実行され、まず、ステップＳ２１でメインミラー１３をミラーアップ位置に退避させる。ステップＳ２２にてＣＣＤ２２１により出力される被写体像の撮像信号が取り込まれ、その画像信号による被写体像をライブビュー画像として液晶モニタ２６に表示させる。
【００８１】
ステップＳ２３にて１ｓｔレリーズスイッチのオン信号をチェックし、オン信号が検出された場合、ステップＳ２４に進み、スライドサブミラー装置６をスライド駆動して、スライドサブミラー６３を光路内の進入位置に移動させ、ステップＳ２５に進む。なお、１ｓｔレリーズスイッチのオン信号が検出されなかった場合は、ステップＳ２９にジャンプする。
【００８２】
ステップＳ２５にてスライドサブミラー６３で反射された被写体光束の一部によって測距ユニット５の測距センサ５５で位相差ＡＦによる測距信号が検出され、ボディＣＰＵ２２９の制御のもとで撮影レンズの合焦動作が実行される。
【００８３】
続いて、ステップＳ２６でスライドサブミラー装置６をスライド駆動して、スライドサブミラー６３を光路外の退避位置に移動させ、ステップＳ２７に進む。
【００８４】
ステップＳ２７では、２ｎｄレリーズスイッチのオン信号をチェックし、オン信号が検出された場合、ステップＳ２８に進み、ＣＣＤ２２１より出力される被写体像の撮像信号が撮影画像信号に変換され、記録媒体２４５に書き込まれる。なお、２ｎｄレリーズスイッチのオン信号が検出されなかった場合は、ステップＳ２３に戻る。
【００８５】
続いて、ステップＳ２９にて上記撮影モード選択スイッチによりライブビュー撮影モードの終了が指示されたかをチェックし、指示がない場合は、そのまま、ステップＳ２３に戻る。上記指示があった場合、ステップＳ３０に進み、液晶モニタ２６のライブビュー表示を終了し、ステップＳ３１にてミラー装置２を回動駆動してメインミラー１３をミラーダウン位置に移動させ、ファインダユニット４による被写体像観察が可能な状態として本ライブビュー撮影処理動作を終了する。
【００８６】
上述した変形例のライブビュー撮影処理によると１ｓｔレリーズスイッチを操作するたびにスライドサブミラー６３がミラーボックス内、すなわち、被写体光束の光路内に進入するが、画像周辺の光量落ちなどのない、より自然なライブビュー表示を観察することができる。
【００８７】
以上、説明したように本実施形態の一眼レフカメラによれば、アップダウン可能なメインミラー１３、サブミラー１４をもつミラー装置２に加えて、撮影レンズの光軸Ｏに対して交差する方向にスライド移動可能な半透過反射ミラーであるスライドサブミラー６３を設け、ライブビュー観察時にスライドサブミラー６３を進入位置に移動させ、ＣＣＤ２２１によるライブビューのための撮像信号取り込み、および、測距センサ５５による位相差ＡＦのための測距信号の検出を行わせるように構成したので、ライブビュー動作状態において合焦時や撮像の瞬間のブラックアウト（撮影像観察不能状態）なくし、音やショックの少ないＡＦ処理が可能であり、さらに、従来の光学ファインダによる被写体像の観察も可能である一眼レフレックスカメラを提供することができる。
【００８８】
また、連写撮影モードにて、被写体の位相差ＡＦによる追尾を行いながら連写撮影を行う場合、従来の一眼レフカメラでスライドサブミラー装置６のないものでは、連写サイクルごとにメインミラー１３、サブミラー１４をミラーダウン位置に回動させる必要があり、そのとき、サブミラー１４のバウンドが収まるのを待つ必要があった。しかし、本実施形態の一眼レフカメラでは、ＡＦ測距時にスライドサブミラー装置６を左右方向にスライド移動させるため、スライドサブミラー６３の光軸Ｏ方向のバウンドが生じない。従って、素早く測距を行うことができ、高速連写が可能になる。
【００８９】
なお、スライドサブミラー装置６のスライドサブミラー６３の透過面の面積を、例えば、メインミラー１３によるファインダユニット４側に反射する光線範囲（主光線範囲Ｌａ）よりも大きくする設定するも可能であり、ライブビュー、または、測距のためのＣＣＤ２２１、または、測距ユニット５側に取り込まれる光量を増やし、良好なライブビュー画像を得ることや測距精度を向上させることも可能である。
【００９０】
また、上記実施形態の一眼レフカメラにおいて、ファインダユニット４として着脱可能なものを適用すれば、必要に応じてファインダユニット４を取り外すことにより位相差ＡＦ可能なライブビュー専用のコンパクトなカメラとして利用することが可能になる。さらには、上述したファインダユニット４およびミラー装置２を適用せず、上述したスライドサブミラー装置６のみを備えることにより、ライブビュー撮影が可能で、かつ、位相差ＡＦによる素早いＡＦ動作が可能なコンパクトなカメラを提供できる。
【００９１】
また、シャッタユニット１５に替えてノーマルオープンのシャッタ装置を適用する構成も可能である。
【００９２】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００９３】
本発明によるカメラまたは一眼レフカメラは、ライブビュー動作状態においても応答の早いＡＦ処理が可能であり、構成も簡単なカメラ、または、一眼レフレックスカメラとして利用が可能である。
【図面の簡単な説明】
【００９４】
【図１】本発明の一実施形態に係る一眼レフレックスデジタルカメラの主要構成部材を示すブロック構成図である。
【図２】図１の一眼レフレックスカメラのカメラ本体の構成を示す横断面図であって、ミラー装置が被写体光束の光路内に進入した状態（ファインダ観察状態）での断面を示す。
【図３】図１の一眼レフレックスカメラのカメラ本体の構成を示す横断面図であって、ミラー装置が上記光路から退避し、スライドサブミラー装置が上記光路内に進入した状態（ライブビュー状態）での断面を示す。
【図４】図２の状態に対応したカメラ本体内のミラーボックスまわりの縦断面図である。
【図５】図３の状態に対応したカメラ本体内のミラーボックスまわりの縦断面図である。
【図６】図２の状態に対応した状態でのミラーボックスまわりを左前方側からみた斜視図である。
【図７】図３の状態に対応した状態でのミラーボックスまわりを左前方側からみた斜視図である。
【図８】図２の状態に対応した状態でのミラーボックスまわりを左上方側からみた斜視図である。
【図９】図３の状態に対応した状態でのミラーボックスまわりを左上方側からみた斜視図である。
【図１０】図３の状態に対応した状態でのミラーボックスまわりを前方側からみた斜視図である。
【図１１】図１の一眼レフカメラにおける撮影シーケンスのうち、ライブビュー撮影処理のフローチャートである。
【図１２】図１１のライブビュー撮影処理に対する変形例のフローチャートである。
【符号の説明】
【００９５】
４  …ファインダユニット（観察光学系）
１３  …メインミラー（第一の可動反射ミラー）
１５  …シャッタユニット（露光手段）
２６  …液晶モニタ（画像表示手段）
５５  …測距センサ（合焦用センサ）
６３  …スライドサブミラー
（可動半透過ミラー，第二の可動反射ミラー）
２２１…ＣＣＤ（撮像素子）
２２９…ボディＣＰＵ（制御手段）
【図１】
2009282245.tif 000003
【図２】
2009282245.tif 000004
【図３】
2009282245.tif 000005
【図４】
2009282245.tif 000006
【図５】
2009282245.tif 000007
【図６】
2009282245.tif 000008
【図７】
2009282245.tif 000009
【図８】
2009282245.tif 000010
【図９】
2009282245.tif 000011
【図１０】
2009282245.tif 000012
【図１１】
2009282245.tif 000013
【図１２】
2009282245.tif 000014